(57)【特許請求の範囲】
【請求項１】
着脱自在なバイオセンサを取り付けて使用し、該バイオセンサによる計測値を温度補正するための温度センサを、外郭体内に内蔵した計測表示器であり、
前記温度センサが、
前記外郭体内の基盤の端子から延びるリード線と、
該リード線の先端に固定され、前記外郭体の内面に密着させられるセンサ素子と、
から構成された計測表示器。
【請求項２】
血糖値計測表示器である請求項１に記載する計測表示器。
【請求項３】
前記センサ素子が、前記外郭体の内面に設けられた収納空間に収納される請求項１または２に記載する計測表示器。
【請求項４】
前記リード線が、前記端子から外側に向かって延びた後湾曲して前記バイオセンサの取付部付近に向かう請求項１から３のいずれかに記載する計測表示器。
【発明の詳細な説明】
【技術分野】
【０００１】
本発明は、着脱自在なバイオセンサを取り付けて使用し、該バイオセンサによる計測値を温度補正するための温度センサを、外郭体内に内蔵した計測表示器、及び血糖値計測表示器に関する。
【０００２】
従来から、検体の血糖値等を測定するバイオセンサが使用されている（例えば、特許文献１及び特許文献２参照。）。このバイオセンサによれば、血糖値計測表示器に取り付けて検体を取り込み、血糖値計測表示器が血糖値等を計測表示することにより、血糖値等を認識できる。ここで、バイオセンサによる測定値は、その温度依存性により、周囲の温度が低い場合には実際よりも低く検知し、周囲の温度が高い場合には実際よりも高く検知することが知られている。
【０００３】
このため、従来より、血糖値計測表示器の外郭体内に温度センサを設け、温度が低い場合には計測値を高く補正し、温度が高い場合には計測値を低く補正する温度補正が行なわれている。図６に、この温度センサ１を示す。この温度センサ１は、血糖値計測表示器２の外郭体３内の基盤４に内蔵されており、周辺の温度を測定することができる。なお、基盤の構成から温度センサ１の端子の位置が中心線５上に定まることから、温度センサ１は中心線５上に位置することとなる。
【０００４】
しかし、涼しい部屋に保管していた計測表示器を暑い場所へ持って行って血糖値を測定した場合、暑い部屋の温度を実際よりも低く検知して温度補正するため、正しい血糖値よりも高めに計測表示してしまうこととなっていた。一方、暑い部屋から涼しい部屋へ持って行って血糖値を測定した場合、反対に、正しい血糖値よりも低めに計測表示してしまうこととなっていた。
【０００５】
【特許文献１】特公平８−１０２０８号公報
【特許文献２】特開平１０−１９８８８号公報
【発明の開示】
【発明が解決しようとする課題】
【０００６】
そこで、本発明者は、このような課題の原因を究明してこのような課題を解決するべく、鋭意研究を重ねた結果、本発明に至ったのである。
【０００７】
すなわち、本発明は、より正確に計測表示するために、周辺の温度をより正確に検知してより正しく温度補正できる計測表示器、及び血糖値計測表示器を提供することを目的とする。
【課題を解決するための手段】
【０００８】
本発明に係る温度センサは、計測表示器に取り付けたバイオセンサによる計測値を温度補正するために該計測表示器の外郭体内に内蔵されている温度センサであり、前記外郭体内の基盤の端子から延びるリード線と、該リード線の先端に固定され、該端子よりも該外郭体に近接させた位置に配置されるセンサ素子と、から構成されたことを特徴とする。
【０００９】
また、本発明に係る温度センサは、前記温度センサにおいて、前記センサ素子が、前記外郭体の内面に密着させられることを特徴とする。
【００１０】
また、本発明に係る温度センサは、前記温度センサにおいて、前記リード線が、前記外郭体内の空間内で延びることを特徴とする。
【００１１】
また、本発明に係る温度センサは、前記温度センサにおいて、前記リード線が、前記端子から外側に向かって延びた後湾曲して前記バイオセンサの取付部付近に向かうことを特徴とする。
【００１２】
また、本発明に係る温度センサは、前記温度センサにおいて、前記リード線が弾性を有することを特徴とする。
【００１３】
また、本発明に係る温度センサは、前記温度センサにおいて、前記計測表示器が血糖値計測表示器であることを特徴とする。
【００１４】
本発明の計測表示器は、前記温度センサを備えたことを特徴とする。
【００１５】
本発明の血糖値計測表示器は、前記温度センサを備えたことを特徴とする。
【発明の効果】
【００１６】
本発明の計測表示器、及び血糖値計測表示器によれば、温度センサを外郭体内に内蔵しながらも、センサを外郭体に近接させた位置に配置することができる。このため、外郭体内に溜まった空気の熱又は基盤から生じる熱の影響を最小限にして、周辺の温度を従来よりも正確に検知できる。このため、従来よりも正しく温度補正して従来よりも正確に計測表示することができる。
【００１７】
また、センサ素子が外郭体の内面に密着させられる本発明によれば、外郭体を介して周辺の温度を従来よりも正確に測定することができる。更に、リード線が弾性を有する本発明の場合には、リード線の弾性力によって容易にセンサ素子を外郭体の内面に密着させることができる。
【００１８】
また、リード線が外郭体内の空間内で延びる本発明の場合には、リード線先端のセンサ素子を自由に最適な位置に配置することができる。更に、リード線が、前記端子から外側に向かって延びた後湾曲して前記バイオセンサの取付部付近に向かう本発明の場合には、センサ素子を容易にバイオセンサの取付部付近に配置して、バイオセンサ周辺の温度を検知することができる。
【発明を実施するための最良の形態】
【００１９】
次に、本発明に係る温度センサ、血糖値計測表示器の形態について、図面に基づいて詳しく説明する。
【００２０】
図１及び図２において、符号１０は本発明に係る温度センサであり、符号１２は本発明の血糖値計測表示器である。
【００２１】
温度センサ１０は、血糖値計測表示器（計測表示器）１２に取り付けたバイオセンサ１４による計測値を温度補正するために血糖値計測表示器１２の外郭体１８内に内蔵されている温度センサであり、外郭体１８内のＣＰＵ基盤２０の端子２２から延びるリード線２４と、リード線２４の先端に固定され、端子２２よりも外郭体１８に近接させた位置即ち端子２２よりも外側に配置されるセンサ素子２６と、から構成されている。なお、端子２２の位置は、ＣＰＵ２１の配置やＣＰＵ基盤２０の構造等によって、中心線２３付近に定まっている。
【００２２】
また、温度センサ１０は、センサ素子１６が、外郭体１８の内面に密着させられるように構成され、外郭体１８内に内蔵されながらも、外郭体１８の側壁を介して血糖値計測表示器１２の周辺温度を最大限に正確に検知できるように構成されている。センサ素子１６の原材料は、外郭体１８内に配置できるとともに温度を検知できるものであれば特に限定されない。
【００２３】
温度センサ１２のリード線２４は、外郭体１８内の空間内で延びることにより、センサ素子１６を最適な位置に自由に配置できるとともに、ＣＰＵ基盤２０の熱の影響が最小限になるように構成されている。このリード線２４は、端子２２から一旦外へ延びた後湾曲してバイオセンサ１４の取付部１５付近に向かう形状となっている。また、リード線２４は、弾性を有しており、センサ素子１６を最適な位置に自由に配置できるとともに、弾性力によってセンサ素子１６が外郭体１８の内面に密着させられるように構成されている。なお、リード線２４は、ＣＰＵ２１が発する熱の影響を最小源にするために、中心線２３に対してＣＰＵ２１と反対側へ延びることが望ましい。このリード線２４の材質は、センサ素子１６による温度検知が可能であれば特に限定されない。
【００２４】
このような温度センサ１０、及びこの温度センサ１０を備える血糖値計測表示器１２の作用について以下に説明する。
【００２５】
この温度センサ１０は、外郭体１８の下蓋を取り外した場合には、図２に示すように、外郭体１８の外へ突出することとなる。このため、手で温度センサ１０のセンサ素子１６付近を保持し、外郭体１８内に収まるように外郭体１８内へ弾性的に折り曲げて下蓋を閉じる。これにより、図１に示すように、センサ素子１６が外郭体１８の内面に密着した状態で温度センサ１０が外郭体１８内に収められる。なお、温度センサ１０のリード線２４は、端子２２から一旦外へ延びた後湾曲してバイオセンサ１４の取付部付近に向かう形状となっているため、センサ素子１６を容易にバイオセンサ１４付近に配置できる。このため、バイオセンサ１４付近の温度を検知して、バイオセンサ１４の温度依存性を適確に補正することができる。
【００２６】
このようにして、温度センサ１０が外郭体１８内に収められた状態で、バイオセンサ１４を取り付け、バイオセンサ１４を血液に接触させて血糖値の計測が行なわれる。この時、温度センサ２０が周辺の温度を検知し、ＣＰＵ基盤２０は血糖値の温度補正を行なって表示画面２６に表示する。すなわち、温度センサ１０が一定温度以上の温度を検知した場合には、血糖値を低く補正し、一定温度未満の温度を検知した場合には、血糖値を高く補正する。
【００２７】
本発明によれば、温度センサ１０のセンサ素子１６がＣＰＵ基盤２０から浮かせられているとともに、外郭体１８の内面に密着させられているため、外郭体１８内に溜まった空気の熱又はＣＰＵ２１やＣＰＵ基盤２０の熱に影響されることなく、周辺の温度を従来よりも正確に検知することができる。このため、従来よりも正しい温度補正を行なって従来よりも正確な血糖値表示を行なうことができる。
【００２８】
この温度センサ１０を備えた血糖値計測表示器１２を用いて本発明者が実際に試験を行なった結果を図３及び図４に示す。例えば血糖値計測表示器１２を２０℃の室内から３０℃の室内へ移動させて１０分経過した場合、図３に示すように、従来は約３．２℃の温度測定誤差があることにより、約１０ｍｇ／ｄＬの血糖値表示誤差があったのに対して、本発明の温度センサ１０を備えた場合には、約１．２℃の温度誤差及び約４ｍｇ／ｄＬの血糖値表示誤差に改善された。また、例えば３０℃の室内から２０℃の室内へ移動させて１０分経過した場合、図４に示すように、従来は約３．７℃の温度測定誤差があることにより、約１５ｍｇ／ｄＬの血糖値表示誤差があったのに対して、本発明の温度センサ１０を備えた場合には、約１．８℃の温度誤差及び約７ｍｇ／ｄＬの血糖値表示誤差に改善された。
【００２９】
以上、本発明の一実施形態について説明したが、本発明は上述の実施形態には限定されない。例えば、本発明の血糖値計測表示器１２において、図５に示すように、センサ素子１６の収納空間３０を積極的に設けても良い。この場合、センサ素子１６を外郭体１８内に容易に収納できる。この場合、リード線が弾性力を有しなくとも、センサ素子を外郭体の内面に密着させて固定できる。
【００３０】
以上、本発明の実施形態について図面に基づいて説明したが、本発明は図示したものには限定されない。例えば、本発明の用途は、血糖値の検査に限定されず、広く、医学的、生物学的、化学的な検査又は試験等であっても良い。また、血糖値以外の血液検査であっても良い。また、センサ素子や外郭体の形状は、本発明の作用効果が生じれば特に限定されない。
【００３１】
その他、本発明の技術的範囲には、その趣旨を逸脱しない範囲で当業者の知識に基づき種々なる改良、修正、変形を加えた態様も含まれる。また、同一の作用又は効果が生じる範囲内で、いずれかの発明特定事項を他の技術に置換した形態で実施しても良い。
【産業上の利用可能性】
【００３２】
本発明の計測表示器、及び血糖値計測表示器は、周辺の温度を従来よりも正確に検知し、従来よりも正しく温度補正して従来よりも正確に計測表示することができる。このため、バイオセンサによる計測のために広く利用できる。
【図面の簡単な説明】
【００３３】
【図１】本発明の温度センサ及び血糖値計測表示器を示す図であり、同図（ａ）は平面図であり、同図（ｂ）はＡ−Ａ線切断部断面図である。
【図２】図１の血糖値計測表示器の底面図である。
【図３】図１の温度センサ及び血糖値計測表示器について周辺の温度が上昇した場合の試験結果を示す図であり、同図（ａ）は温度測定誤差を従来と比較したグラフであり、同図（ｂ）は表示誤差を従来と比較したグラフである。
【図４】図１の温度センサ及び血糖値計測表示器について周辺の温度が下降した場合の試験結果を示す図であり、同図（ａ）は温度測定誤差を従来と比較したグラフであり、同図（ｂ）は表示誤差を従来と比較したグラフである。
【図５】本発明の温度センサ及び血糖値計測表示器の他の実施形態を示す平面図である。
【図６】従来の温度センサ及び血糖値計測表示器を示す平面図である。
【符号の説明】
【００３４】
１０：温度センサ
１２：血糖値計測表示器（計測表示器）
１４：バイオセンサ
１６：センサ素子
１８：外郭体
２０：ＣＰＵ基盤（基盤）
２１：ＣＰＵ
２２：端子
２４：リード線
【図１】
0004711333.tif 000002
【図２】
0004711333.tif 000003
【図３】
0004711333.tif 000004
【図４】
0004711333.tif 000005
【図５】
0004711333.tif 000006
【図６】
0004711333.tif 000007